(57)【要約】本発明は、異なる色を有する吸収性物品を包含するパッケージを提供する。該パッケージは、パッケージ内に包装され、第一色を持つ少なくとも一つの第一吸収性物品、及びパッケージ内に包装され、第二色を持つ少なくとも一つの第二吸収性物品を含み、第二色は第一色から視覚上区別可能である。好ましくは、該パッケージは女性用保護吸収性物品、好ましくは黒、透明のいずれか、及び／又は白である、好ましくはパンティーライナ及び／又は生理用ナプキンを包含する。
2004510463.tif 000002
【特許請求の範囲】
【請求項１】
少なくとも、第一色を持つ第一吸収性物品及び第二色を持つ第二吸収性物品を包含し、該第二色は該第一色から視覚上区別可能な吸収性物品のためのパッケージ。
【請求項２】
前記第一及び前記第二吸収性物品は、それぞれ衣類に面する表面及び着用者に面する表面を有し、該第一吸収性物品の少なくとも着用者に面する表面又は衣類に面する表面は前記第一色であり、該第二吸収性物品の少なくとも着用者に面する表面又は衣類に面する表面は前記第二色である、請求項１に記載のパッケージ。
【請求項３】
前記第一及び前記第二吸収性物品はそれぞれ、液体透過性トップシート、液体不透過性であるが好ましくは通気性のあるバックシート、及び前記トップシートと前記バックシートの中間の吸収性コアを具備し、該第一吸収性物品の少なくともトップシートとバックシートは第一色であり、及び／又は該第二吸収性物品の少なくともトップシートとバックシートは第二色である、請求項１又は２に記載のパッケージ。
【請求項４】
該第一吸収性物品の吸収性コアは該第一吸収性物品のトップシートの色に調和しており、及び／又は該第二吸収性物品の吸収性コアは該第二吸収性物品のトップシートの色に調和する、前記第一及び前記第二吸収性物品を具備する、請求項３に記載のパッケージ。
【請求項５】
該第一吸収性物品の該第一色と該第二吸収性物品の該第二色との色の差は、ミノルタモードＣＲ３００（登録商標）比色計で測定される時、少なくとも５、好ましくは少なくとも５０、より好ましくは少なくとも９０である、請求項１〜４のいずれか一項に記載のパッケージ。
【請求項６】
少なくとも該第一又は該第二吸収性物品の色は黒である、請求項１〜５のいずれか一項に記載のパッケージ。
【請求項７】
少なくとも該第一又は該第二吸収性物品の色は白である、請求項１〜５までのいずれか一項に記載のパッケージ。
【請求項８】
少なくとも該第一又は該第二吸収性物品が透明性の、少なくとも一つの領域を有する吸収性物品であって、一般に前記吸収性物品はトップシート、バックシート及びトップシートとバックシートの間に配置される吸収性コアを有し、前記トップシート及び前記バックシートは前記吸収性コアの周辺部を越えて延びていて、吸収性コアの周辺部を越えて延びている該領域において互いに結合されており、吸収性コアの周辺部を越えて延びている前記トップシート及び前記バックシートの領域は透明である、請求項１〜７までのいずれか一項に記載のパッケージ。
【請求項９】
前記透明性は少なくとも２０％、好ましくは少なくとも３０％、より好ましくは少なくとも４０％の透明性の値を有する、請求項８に記載のパッケージ。
【請求項１０】
前記吸収性物品は、パンティーライナ及び／又は生理用ナプキンであり、好ましくはストリングパンティーライナ及び／又は従来のパンティーライナである、請求項１〜９のいずれか一項に記載のパッケージ。
【請求項１１】
前記物品は下着の股部領域において使用するための生理用ナプキン又はパンティーライナであり、前記吸収性物品は下着の該股部分の辺りで折り畳むことを意図されている一対のウイングを具備し、前記ウイングのそれぞれは該吸収性物品の残部の色から視覚上区別可能な色を備え、該ウイングの色は該下着の色に調和する吸収性物品。
【請求項１２】
それぞれのウイング全体の色は、一般に白から視覚上区別可能である請求項１０による吸収性物品。
【請求項１３】
ユーザーが吸収性物品と共に着用する下着の色を決定することができるように、該物品の色を示す手段を該吸収性物品の内部に包含する該吸収性物品のためのパッケージ。
【請求項１４】
該物品の色を示すための手段が該パッケージの外側に配置される表面と一体化している請求項１３に記載のパッケージ。
【発明の詳細な説明】
【０００１】
（発明の分野）
本発明は異なる色を持つ吸収性物品を包含するパッケージに関係する。
このようなパッケージは、目立たないことが望まれる時、下着の選択に関して着用者により多くの自由を与えるために、少なくとも二つの異なる色の吸収性物品、好ましくはパンティーライナ及び／又は生理用ナプキンを提供するという長所を持つ。吸収性物品に異なる色を提供することは、一致する色の下着が着用される時、目視検査により容易に明らかにならないという長所がある。
【０００２】
（発明の背景）
おむつ、成人用失禁用品、脇の下の汗取り用品、襟挿入用品、生理用ナプキン及びパンティライナを包含する吸収性物品は一般に、衛生状態を伝達する色で提供されるのが歴史的には一般的であった。これが結果として、伝統的に白又は白が優勢な物品を生じた。これは、これらの製品が着用される歴史的に優勢な下着の色、つまり白い下着に十分適合した。その結果、白いパンティーライナ又は白い生理用ナプキンは、そのような白い下着と共に使用される時、容易に認識可能ではない。
【０００３】
ごく最近の流行は、女性が白以外の色の下着をより頻繁に使用するよう導いてきた。これは流行自体によるのみならず、ある程度の半透明性を有し、下着の色を認識することができる衣類の開発の結果、指向されて来たものである。更にごく最近いわゆるＧ−ストリング下着又は「タンガスリップ」は、特に若い世代の女性によって広く使用されるようになった。これらのいわゆるストリングタンガは、ぴったり適合する衣類を通して下着の輪郭を容易に認識されるのを防ぐために特に使用される。故に生理用ナプキン又はパンティーライナのような吸収性物品の存在を色により認識されるのを防ぐために、下着の色のみならず衣類の色にも調和する吸収性物品へのニーズがある（現代の衣類は半透明であり得るという仮定の下で）。下着の外側の周囲で折り畳むいわゆるウイングを有する生理用ナプキン又はパンティライナにとって、生理用ナプキン又はパンティライナのウイング部分は、下着の外側に意図的に折り畳まれるので、下着の上に着用する衣類次第で容易に目に見えるために、このことはより重要でさえある。
【０００４】
また女性の性質は、特に衣類が半透明である場合、衣類においてのみならず、衣類の色にしばしば調和する下着においても変化を好むものである。故に、例えば、ある日にはある色、次の日には他の色というように、毎日のように下着の色に調和する、異なる色の吸収性物品を提供する必要がある。
【０００５】
従来、吸収性物品は、所定の外形及び吸収性を持つ、生理用ナプキン又はパンティーライナのような同一の吸収性物品を１０〜４０以上包含するパッケージで販売されている（現在市場で入手可能な白い吸収性物品参照）。ユーザーの種々のニーズを満たすために、異なる製品の寸法の数により増える様々な色の吸収性物品を提供することは、製造者が貯蔵する必要のある非常に多数の異なるパッケージを有することを意味する。同時にそのような製品が販売される店は、潜在的な顧客のためのそれぞれの多様性のある製品を貯蔵し提供するために、巨大な空間を提供しなければならない。より重要なことには、消費者は、例えば、何らかの形で一色のパンティーライナのみを包含するパッケージを購入することを余儀なくされるであろうし、これは消費者がそのような着色した製品を少量のみ必要である場合、又はかつて使用したことのない製品を試して実験したい場合のいずれかの場合、消費者が望む以上の相当な出費になる可能性がある。また売り場面積に関しては、そのようなパッケージはかなり嵩高であり、消費者が毎日又は一日／夜のうちでさえ異なる色の下着を着用したい場合、消費者の棚又はクローゼットで相対的に大きい空間を取る。
【０００６】
故に、下着の色を幾つか列挙すると、特に黒、肌色、濃紺、水色、赤、緑、黄は広く入手可能であるので、色の数が非常に多くなることは不可避であるから、便利で費用効果の高い方法で異なる色の吸収性物品を消費者に提供することが本発明の目的である。
この目的は、少なくとも、第一色を持つ第一吸収性物品及び第二色を持つ第二吸収性物品を包含し、第二色は第一色から視覚上区別可能な、吸収性物品用パッケージを提供することにより達成された。有利にも、そのようなパッケージは、少なくとも二つの異なる色の吸収性物品を包含するのみならず、パンティーライナ（従来のもの及びストリングパンティーライナを含む）及び／又は生理用ナプキン（従来のもの及びストリングタイプを含む）を含む種々のタイプの吸収性物品も包含してよい。色は着色した材料を使用することによりこれらの製品に提供される。
【０００７】
本発明による一実施形態では、第一及び第二吸収性物品の少なくとも一つは、透明である少なくとも一領域を持つ吸収性物品である。透明性は、透明な材料の使用によりこれらの物品に提供される。このような透明なパンティーライナは、それらが着用される下着の色に関係してその色が際立たず、よって下着、特に白っぽい色の下着との色の違いを最小にするので容易に認識可能ではないという長所を有する。
本発明による好ましい実施形態では、第一及び第二吸収性物品の少なくとも一つはその色が黒である吸収性物品である。最も好ましい実施形態では、パッケージは少なくとも黒である吸収性物品及び少なくとも部分的に透明である吸収性物品を具備する。このようなパッケージは、特に流行の半透明の衣類及び黒い衣類を着る若い女性の興味をそそる可能性がある。あるいは、本発明の他の実施形態では、パッケージは少なくとも白である吸収性物品及び少なくとも黒である吸収性物品を具備する。
【０００８】
黒及び白の下着は、全ての年齢を考慮すると、割合において女性により最も一般的に着用される下着である。他の好ましい実施形態は、少なくとも一つの透明性領域を持つ吸収性物品、黒である吸収性物品及び白である吸収性物品を具備するパッケージである。
【０００９】
（発明の背景技術）
種々の吸収容量を持つ吸収性物品、つまりおむつを包含するパッケージは、米国特許第５，８９７，５４２号から既知である。
米国特許第５，８２７，２５１号、米国特許第５，９８６，１６５号及び米国特許第５，９６４，７４１号は、膣挿入装置、パンティーライナ、並びに膣挿入装置及びパンティーライナの周囲に配置される小袋を具備する女性用生理用品保護パッケージを開示している。
しかし、所望の下着の色に調和することができる、異なる色の複数の別個の吸収性物品を具備するパッケージに関する先行技術は見出せなかった。
【００１０】
（発明の概要）
本発明は、少なくとも、第一色を持つ一つの第一吸収性物品及び第二色を持つ一つの第二吸収性物品を包含し、第二色は第一色から視覚上区別可能な、複数の吸収性物品用パッケージに関する。
【００１１】
（発明の詳細な説明）
定義
「吸収性物品」を本明細書で用いる時、下着の股部領域で着用される、主に生理用ナプキン、パンティーライナ又は失禁パッドを指す。しかし、汗吸収用脇の下パッド、介護用パッド又は襟挿入用品のような物品も、本発明の恩恵を受ける。
慣習的に下着と共に着用されてはいないが、赤ちゃん用おむつ、成人失禁者用おむつ及び排泄物処理装置が本発明から恩恵を受けることさえ考えられる。
用語「使い捨て」を本明細書で用いる時、発射される、さもなければ修復される又は吸収性物品として再利用されることを意図しない（すなわち一回の使用後捨てられる、好ましくはリサイクルされ堆肥にされる、さもなければ環境的に適合性のある方法で処理されることを意図する）吸収性物品を説明している。
【００１２】
本明細書で用いる時、用語「着用者に面する」表面は、吸収性物品の使用中一般に着用者の方を向く吸収性物品の成分の表面を指す。本明細書で用いる時、用語「衣類」表面は、着用者に面する表面と反対側の表面、すなわち吸収性物品の使用中一般に衣類の方を向く吸収性物品の構成要素を指す。
本明細書で用いる時、「色」は、肌色及びこれら基本色のいずれかの変化又はこれらの混合物と同様に、いずれかの主な／基本的な色、例えば、白、黒、赤、青、黄、緑、橙、紫を含む。本明細書のパッケージは視覚的に互いに識別可能な、すなわち視覚的な検査により容易に認識可能である、少なくとも二つの色の複数の別個の吸収性物品を具備する。二つの吸収性物品の間の色差は、例えば、比色計ミノルタモードＣＲ−３００（登録商標）計器のような比色計を使用することにより評価されてもよい。いずれの色も単一のΔＥ値（下文参照）により特定される。本発明によるパッケージに包装される、異なる吸収性物品の間でΔＥとして表される色の差は、一般に、少なくとも５、好ましくは少なくとも５０、より好ましくは少なくとも９０である。
【００１３】
「透明な」を本明細書で用いる時、その材料の本体を通して可視光線を伝える材料の能力又は材料の組み合わせの能力に関する。いずれの材料も光のある部分を除去するので、完全な透明性は存在し得ないことが認められる。従って、本発明による透明性の要件は、肉眼により物品の透明な領域を通して見る時、色が視覚的に認識可能なことである。透明性を測定するのに多種多様の可能性があり、その一つが本明細書において後で明らかにされる。本発明によれば、透明性の領域は少なくとも２０％、好ましくは少なくとも３０％、最も好ましくは少なくとも４０％の透明値を有する必要がある（基準に対する△Ｅ）。
【００１４】
パッケージ
本発明によるパッケージは、異なる色を持つ複数の使い捨て吸収性物品を具備する。本発明によるパッケージは、一般に、少なくとも二つ以上の異なる色で存在する、一つの種類のみの吸収性物品を具備するか、又は少なくとも二つ以上の異なる色が存在する、従来の下着用及び／又はストリング下着用パンティーライナ及び／又は生理用ナプキンを含む異なる種類の女性用保護製品のような数種類の吸収性物品を具備する。実際に、少なくとも二つの種類の吸収性物品が存在する場合、第一の種類は少なくとも一つの色を有し、第二の種類は少なくとも他の色を有するか、又は少なくとも一つの種類が少なくとも二つの異なる色で存在する。このパッケージは、異なる吸収性の（一つの種類又は異なる種類の）吸収性物品を具備してもよい（例：昼間使用及び夜間使用するため又は重い流体の発生用若しくは少ない流れの発生用生理用ナプキン）。
【００１５】
一般に、本明細書のパッケージは２〜１００、好ましくは５〜４０、より好ましくは１２〜３５の別個の吸収性物品を具備している。パッケージが本明細書で定義する第一及び第二吸収性物品を包含する本明細書の実施形態では、第二吸収性物品の数に対する第一吸収性物品の数は１：１０〜１０：１、好ましくは約１：１の比である。
パッケージは、二つより多い識別可能な色の吸収性物品を具備してもよいことが本明細書では理解される。一般に、パッケージは４、５及び６色以上の異なる色の、視覚上互いに識別可能な吸収性物品を具備してもよい。例えば、パッケージは７色のそれぞれ異なる色の吸収性物品を具備することができ、それにより女性が一週間を基準に毎日異なる色の下着を着用する可能性がある場合、その色の吸収性物品は下着の色と調和する。
【００１６】
本発明による吸収性物品用パッケージは、カートン、並びに／又は小袋及びバッグのような可撓性パッケージとして組み立てられるものを含む。パッケージを組み立てるために使用する標準的な材料には、板紙、ポリプロピレンフィルム、ポリエチレンフイルム、共押し出しされたポリエチレン及びエチレンビニルアセテートフィルムなどのようなポリマーフィルム、並びにコーティングされたペーパーが挙げられるがこれらに限定されない。パッケージは、複数のシートを互いに又はそれらを組み合わせて接着することにより、折り畳む部分、折り畳んで密閉する部分のような材料の単一シートの操作を通して成形される。パッケージは熱密閉、超音波、接着剤、フック・ループ式ファスナなどのような当該技術分野において既知の手段により密閉又は接着される。好ましくは板紙及び接着剤は、本発明によるカートンパッケージを組み立てるために使用される。
【００１７】
日用品のための包装方式は、当該技術分野において周知である。米国特許第３，５５４，４３４号、米国特許第４，２４６，２８６号、米国特許第４，７８２，９５１号及び米国特許第５，６９４，７４６号の全てを参考として引用し本明細書に組み込むが、これらは多数の板紙及び可撓性材料のパッケージ及びそれらの作成方法を開示している。
パッケージは、ユーザーが必要とする個々の吸収性物品を容易に引き出し、その後吸収性物品を清潔に維持し慎重に保有するためにパッケージを閉じることを可能にするため、任意選択的にに開閉手段を有することができる。開閉手段には、力を弱いラインに適用することにより作動されるフラップ、並びにストリング、感圧接着剤、ホットメルト接着剤、フック・ループ式ファスナ、タブアンドスリット（ｔａｂ ａｎｄ ｓｌｉｔ）及びインターロックリブと溝ストリップを持つようながま口方式が挙げられるが、これらに限定されない。好ましくは、タブアンドスリット閉手段を有する板紙カートンは本発明に従って使用される。
【００１８】
吸収性物品は、本明細書に記載されるようにパッケージ内に直接包装されることができ、又は個々に折り畳まれて小袋内に包まれてもよく、その例は米国特許第４，５５６，１４６号に開示されている。
本明細書における使用に好適なパッケージの例は、図１に図示されている。パッケージ１は、一般に、接合してその中に吸収性物品を受けるための区画を画定する、３〜６に指定される側壁と同様に上部壁２ａ及び底部壁２ｂを含む平行六面体の箱の形状を有する。上部壁２ａに近接して、側壁３〜６の一つ以上を通って延びている破り線８が好ましくは提供される。破り線８は、パッケージ１に包含される吸収性物品（図示されない）に出し入れするために、持ち上げられる又は取り除かれることに適合している上部の覆い又は蓋を形成するために、パッケージ１の上部部分がパッケージ１の残部から少なくとも部分的に離されることを可能にする。
【００１９】
本発明は、これらのパッケージが覆い又は蓋を形成することを意図される部分を備えているかどうかに関係なく及び／又は破り線８のような開手段の存在に関係なく、いずれの形状及び寸法のパッケージにも適用されることに適合している。現在の好ましい実施形態では、パッケージ１は薄い厚紙のようなシート状の材料から構成されている。より好ましくは、パッケージ１は、表題のシート状材料の単一の半加工品を出発原料として組み立てられる。任意選択的にパッケージは、その中に包含される吸収性物品の色を明らかにする手段を備えることができる。
故に本発明の最も広い一態様は、その中に吸収性物品を包含する吸収性物品用パッケージ及び製品の色を示すための手段も含み、それによりユーザーはこのような吸収性物品と共に着用する下着の色を決定することができる。この発明は、これらのパッケージが異なる色の吸収性物品を包含しているかどうかに関係なく、いずれの形状及び寸法のパッケージにも適用されることに適合している。換言すれば、それは一般に白以外の所定の色の少なくとも一つの吸収性物品を包含するパッケージを指す。物品の色を示すための手段は、好ましくはパッケージの外側に配置される表面と一体化している。
【００２０】
有利にも、これは消費者が一旦購入し開けてから初めて目にするパッケージの内側に、どんな吸収性物品（何色の吸収性物品）があるかを消費者が推量しなければならないという問題を克服する。このようなパッケージはその中に包含される製品の実際の色を明確に指摘するという吸収性物品用パッケージへのニーズを克服し、その結果女性は下着及び更に衣類の色次第で（特に半透明の衣類が着用される場合）判断するニーズに正確に適合する製品を選択することができる。実際に、パッケージを開けることなく、その中に包含される物品を顕わにすることなく、吸収性物品（好ましくはパンティーライナ及び／又は生理用ナプキン）の色を決定するための手段を具備するパッケージが提供される。
【００２１】
この目的のために当業者に既知の任意の手段を本明細書において使用してもよい。この手段はパッケージ上のいずれかのカラープリントであってもよい。
この手段はパッケージと一体化しているタブであってもよく、タブはパッケージに包含される吸収性物品の色を示すものであれば、任意の寸法及び外形を持ってもよい。一実施形態では、タブはパッケージに包含される吸収性物品の寸法及び外形を持つ。タブはパッケージが成形される時同時に成形されることができるか、又は代わりに別個に形成されパッケージに取り付けられることができる。タブはパッケージの材料と同様の又は異なる材料から組み立てられることができる。好ましくは、タブは単一箇所でパッケージに取り付けられ、それによりユーザーがタブをパッケージから回転させることにより、パッケージから色の表示を部分的に切り離すことを可能にする。
【００２２】
またこの手段は、パッケージの外側に配置される一つ以上の表面に取り外し可能に取り付けられる、当該色のシートであってもよい。シートは、パッケージに包含される吸収性物品の寸法及び外形に対応するものを含む、任意の寸法及び外形を持ってもよい。一般にシートにより覆われるパッケージの領域は透明であり、シートが少なくとも部分的に取り除かれる時、パッケージに包含される吸収性物品は目で見ることができる。視覚化により、必要に応じてシートを取り外したり又は再固着することなく独立性を維持しながら、ユーザーが、一般にパッケージの外側表面上に示される吸収性物品の演色と比較して、パッケージ内に包含される実際の吸収性物品の色を見ることを可能にする。シートは、好ましくは感圧接着剤により取り付けられ、取り外された場合は再固着されることができる。
この手段は、好ましくは単純に透明な領域であるか、又は透明であって、包含される吸収性物品の色を目で見ることができる窓１０（図１参照）である。一般に、パッケージはその中に包含される吸収性物品の色を示す唯一の手段（例：一つの窓、一つのカラープリントした領域、又はタブ若しくはシート）を備えている。異なる色の吸収性物品がパッケージに包含されている場合、パッケージは数手段（例：数個の窓）を備えていてもよく、それらのそれぞれはパッケージに包含されている異なる色の吸収性物品の一色を示す。
【００２３】
本発明によるパッケージの中に包装される吸収性物品
本発明によるパッケージに包装される吸収性物品は使用中着用者の方を向く着用者に面する表面（一般にトップシートの外側表面）及び使用中衣類／下着の方を向く衣類に面する表面（一般にバックシートの外側表面）を有する。好ましい実施形態では、本明細書で後に説明される発明の例にあるように、着用者に面する表面は吸収性物品のトップシートにより提供され、衣類に面する表面は物品のバックシートにより提供される。一般に吸収性物品は伝統的に主要な三要素：使用中、物品のユーザーに面し、液体を物品の中まで通過させるために液体透過性であるトップシート；吸収された液体が物品を通過して漏れないように液体の封じ込めを提供するバックシート（このバックシートは伝統的に物品の衣類に面する表面を提供する）；及びトップシートとバックシートの間に挟まれ、トップシートを通過して物品に入った液体を獲得して保持するための吸収能力を提供する吸収性コアから構成されている。
【００２４】
特定の材料を含む多くの吸収性物品及び構造物が当該技術分野において既知であり、繰り返し充分詳細に記載されてきた。所望の色（例：黒、灰色、緑、赤など）で入手可能であるならば、又は少なくとも一つの透明性の領域を持つ吸収性物品への最小程度の透明性が達成されるのを可能にするならば、そのような材料の全ては本発明の関連において有用である。これは一般に、従来の材料特性の大部分を維持しつつ、その材料組成物の適度の修飾のみを必要とする。次で、着色した吸収性物品（例：黒など）又は透明な吸収性物品のいずれかにおける使用に特に有益である材料の例について説明する。当業者ならば、本明細書でも使用することができる代替材料を容易に特定することができるであろう。
【００２５】
所定の色の吸収性物品により、その所定の色の少なくともその着用者に面する表面又は少なくとも衣類に面する表面を有する吸収性物品を含むことが本明細書で理解される。下着の色に調和する衣類／下着に面する表面は、使用中、特に透明な衣服又は着色した衣服を着用する時目立たなさのため望まれる。下着の色に調和する着用者に面する表面には、女性の生活のより個人的な瞬間における目立たなさが望まれ、下着を取り除く時、例えば吸収性物品の存在を最小化する又は更にその存在の視覚的な認識を避ける。
好ましくは、一般にトップシートにより提供される着用者に面する表面及び一般にバックシートにより提供される衣類に面する表面は同じ色を有する。吸収性コアも、好ましくは着用者に面する表面と同じ色を持ってその認識を最小化してもよく、それにより使用中身体の流体のマスキング効果を提供する。このマスキング効果は、流体の排泄（膣の流体及び／又は尿の排泄）が相対的に限定され、着用者が後続の日々も同じ時間（例：１日当たり１又は２個のパンティーライナ）パンティーライナを着用する習慣を持つパンティーライナの使用法について特に望まれる。
【００２６】
トップシート
存在する場合、トップシートは、柔軟で柔らかい感触を有し、着用者の皮膚を刺激しないことが好ましい。また、トップシートは１方向又は２方向に延びることができる弾性特性を有することができる。さらに、トップシートは流体透過性であり、流体（例えば、月経分泌物及び／又は尿）がその厚みを容易に通過可能である。好適なトップシートは、織布材及び不織布材、孔あき成形熱可塑性フィルム、孔あきプラスチックフィルム及び油圧成形熱可塑性フィルムのようなポリマー材料、並びに多孔質発泡体、網状発泡体、網状熱可塑性フィルム及び熱可塑性スクリムなどの広い範囲の材料から製造することができる。好適な織布材及び不織布材は、天然繊維（例えば、木材繊維若しくは綿繊維）、合成繊維（例えば、ポリエステル、ポリプロピレン若しくはポリエチレン繊維のようなポリマー繊維）又は天然繊維と合成繊維の組み合わせを有することができる。
【００２７】
本発明の着色した吸収性物品への使用に好ましいトップシートは、嵩高不織布トップシート及び孔あき成形フィルムトップシートから選択される。少なくとも吸収性物品の上で液体が排泄されると思われる領域では、孔あき成形フィルムは身体排泄物を透過させるが、非吸収性であり、流体を逆戻りさせて着用者の皮膚を再湿潤する傾向を減らすので好ましい。従って、体と接触している成形フィルムの表面は乾いた状態を保ち、これによって体が汚れるのが減り、着用者により快適な感覚を与える。好適な成形フィルムに関しては、１９７５年１２月３０日に発行された米国特許第３，９２９，１３５号（トンプソン（Ｔｈｏｍｐｓｏｎ））、１９８２年４月１３日に発行された米国特許第４，３２４，２４６号（ムレーン（Ｍｕｌｌａｎｅ）ら）、１９８２年８月３日に発行された米国特許第４，３４２，３１４号（レーデル（Ｒａｄｅｌ）ら）、１９８４年７月３１日に発行された米国特許第４，４６３，０４５号（アール（Ａｈｒ）ら）及び１９９１年４月９日に発行された米国特許第５，００６，３９４号（バード（Ｂａｉｒｄ））に記載されている。特に好ましい微小孔成形フィルムトップシートは、１９８６年９月２日に発行された米国特許第４，６０９，５１８（クロら（Ｃｕｒｒｏ））及び１９８６年１２月１６日に発行された米国特許第４，６２９，６４３号（クロら（Ｃｕｒｒｏ））に開示されている。
【００２８】
しかしながら、特に好ましいのは、トップシートをいわゆるハイブリッドトップシートとし、着用者と接触する表面に開口成形フィルムが長手方向中央に提供され、中央を含まない領域には、例えば、前述の嵩高不織布又は皮膚への馴染みやすさを特に提供するその他の不織布などの不織布を備えていることである。このようなトップシートは欧州特許出願ＥＰＡ−５２３　６８３、ＥＰ−Ａ−５２３　７１９、ＥＰ−Ａ−６１２　２３３又はＥＰ−Ａ−７６６　９５３に開示された。
伝統的にそのようなトップシートは二酸化チタンのような着色材料を備え、白い不透明度を提供した。あるいは他の着色材料を使用して、黒、灰色、赤、黄、緑、青、橙、紫など及びこれらの混合物のような他の色を提供してもよい。
材料を顔料着色、染色又はカラープリントすることを含む、当業者に周知の種々の方法により上記材料のいずれかから作成される着色したトップシートが一般的に提供されることができる。
【００２９】
また、均一に分散した液体通路ではなく、一部分だけに液体通路を有するトップシートも、本発明の意図するものである。一般にこのようなトップシートは、トップシートの中心部では液体透過性であって周辺部では液体不透過性になるように配置した、液体通路を有する。
成形フィルムトップシートの本体表面が親水性でない場合、成形フィルムトップシートは、液体がトップシートを通して移動しやすくなるよう親水性とすることができる。好ましい実施形態では、国際公開第Ｗ０９３／０９７４１号（１９９１年１１月１９日アジズ（Ａｚｉｚ）ら）、「不織布製孔あきフィルムのカバーシートを有する吸収性物品」（Ａｂｓｏｒｂｅｎｔ Ａｒｔｉｃｌｅ Ｈａｖｉｎｇ Ａ Ｎｏｎｗｏｖｅｎ ａｎｄＡｐｅｒｔｕｒｅｄ Ｆｉｌｍ Ｃｏｖｅｒｓｈｏｏｔ）において記述されるように、界面活性剤が成形フィルムトップシートのポリマー材料に組み込まれている。あるいは、トップシートの本体表面は、前述の米国特許第４，９５０，２５４号に記載されているような界面活性剤を用いて処理することによって親水性を持たせることができる。選択される界面活性剤は、材料の色に影響を及ぼしてはならない。
【００３０】
一実施形態では、本発明のパッケージは少なくとも一つの透明性の領域を持つ吸収性物品を具備する。透明性は、一般に透明な材料を使用することにより得られる。ポリマーから単にこの着色材料を省くことが、高度の光透過を有する透明フィルム又は不織布を提供することである。しかし、二酸化チタンのような色充填剤がなければ、何の実質的な材料変化も起こさない。事実、特定の白色素材への願望が、脆さのような望ましくない物理的特性をポリマー材料に持たせる可能性のあることが、当該技術分野において言及されてきており、このことが多層フィルムを作り、その内の数層だけが色充填剤を備え、他の層は構造的安定性及び統合性は提供するが、着色材料は具備しないという技術を導いた。よって、トップシートを作成することができるポリマー材料に色充填剤がないことは、よりよい材料特性という利点も追加する（経費を押さえ環境負荷を低減する以外に）。あるいは、トップシートは所望の透明性を確保しつつ、黒、赤、黄、青、黒及び緑のような所望の色でトップシートに色合いを付与する非白色色素充填剤を備えていてもよい。透明であるトップシートの領域は、好ましくはトップシート（多層を含む）の１重量％未満の白い充填剤、好ましくは０．５重量％未満の白い充填剤を含有し、最も好ましくは白い充填剤を含有しない。非白色色素充填剤を含有する実施形態では、トップシートは一般に０．１％〜３％、好ましくは０．３％〜０．６％の充填剤を有する。非白色色素充填剤の例は、グリーン７−（７４２６０）ＣＡＳ１３２８７５３−６が挙げられる。トップシートは完全に透明であってよいし、又は透明性の領域のみを備えてもよい。好ましくは、トップシートは、吸収性コアの周辺部を越えて延びている吸収性物品の領域が透明性を備え得るように、吸収性コアを越えて延びている領域において少なくとも透明である。
【００３１】
バックシート
一般にバックシートは、柔軟で、可撓性があり、柔らかい感触がある。バックシートは、吸収性コアに吸収され含有される排泄物が、吸収性物品に接触する下着のような衣服を再湿潤するのを防ぐ。好ましくは、バックシートは、液体（例えば、月経、汗及び／又は尿）に対して不透過である。バックシートは薄いプラスチックフィルムから製造可能であるが、他の可撓性液体不透過性材料も使用し得る。本明細書で使用する用語「可撓性」は、柔軟で、人体の一般的な形状及び輪郭に容易に沿う材料に関して言う。バックシートは、好ましくは１又は２方向にそのシートを拡張させる弾力特性も有し得る。
バックシートは、織布材若しくは不織布材、ポリエチレン若しくはポリプロピレンの熱可塑性フィルムのようなポリマーフィルム、又はフィルムコーティング不織布材若しくは繊維でコーテイングしたフィルムのような複合材料を有することができる。伝統的に吸収性物品は、約０．０１２ｍｍ〜約０．０５１ｍｍの厚さを持つポリエチレンフィルムのバックシートを具備する。
【００３２】
バックシートは、好ましくは通気性がある、すなわち水蒸気の伝達、又はより好ましくは空気の伝達を可能にするが、その主たる目的を犠牲にすることなく、吸収した液体の漏れの防止を提供する。バックシートは、単一の通気性バックシート層を、異なる又は同一の材料からなる少なくとも２又は３層により置換するために、一つより多い通気性層も具備し得る。特に、共に通気性バックシートを形成する二つの通気性層が好ましい。
本発明によれば、いずれかの材料から作成されるバックシート、例えば、ポリマー素材から作成されるバックシートは、染色、顔料着色及び／又はプリント技術を含む、この目的のための当業者に既知の伝統的な方法を使用することにより、所望の色を備えることができる。
【００３３】
トップシートに関して、バックシート全体は同じ色又は異なる色を備えることができる。好ましい実施形態では、トップシート及びバックシートは同じ色から作成され、全ての使用状態において目立たなさが強化される。
吸収性物品が少なくとも一つの透明性の領域を持つ本明細書の実施形態では、バックシートは一般にポリエチレンから作成される。実際にポリマー材料から作成される任意のバックシートは、伝統的であった白い材料用の白色充填剤、二酸化チタンを除去することにより、透明性を備えることができる。当業者には認識されるように、バックシートの透明性は、トップシートの場合と同様の方法で提供されることができ、非白色色素充填剤を有してもよい。トップシート同様、バックシート全体は完全に透明であることが可能であるか、又は透明性の領域を備えるだけであってもよい。好ましくは、バックシートの透明性の領域は、トップシートにおいて提供される透明領域に一致し、さもなければ製品全体の透明性は困難である。故に、バックシートの透明性は、好ましくは少なくともバックシートが吸収性コアの周辺部を越えて延びている領域であって、バックシートが従来トップシートに接合する領域において提供される。一実施形態では、トップシート及びバックシートはそれらの表面全体にわたって完全に透明である。これは、その製品の透明な周辺縁という前述の利点を提供するのみならず、そのような製品の着用者がコア及びその中に含有する吸収した液体を観察することを可能にもする。その結果、着用者はその製品の吸収保持能力に到達したかどうかを即座に明らかにでき、従って自身の快適さ及び清潔さのためにその吸収性物品を新しいものと取り換える時を決定できる。
【００３４】
吸収性コア
従来、吸収性コアは単一の存在であってもよいし、又は数層を具備してもよい。吸収性コアは以下の構成要素を含み得る：（ａ）任意選択的に第一流体分配層、（ｂ）任意選択的に第二流体分配層、（ｃ）流体貯蔵層、（ｄ）任意選択的に貯蔵層の下にある繊維層、及び（ｅ）他の任意構成要素。
【００３５】
ａ．任意の第一流体分配層
本発明による吸収性コアの任意の一構成要素は、第一流体分配層である。この第一分配層は、一般にトップシート（存在する場合）の下にあり、トップシートと流体連通状態である。この第一分配層は、貯蔵層に最終的に分配するために、身体の流体を獲得する。第一分配層を介した分泌液のこの移動は、主に厚さにおいて発生するが、その物品の縦方向及び横方向に沿って分配してもよい。
【００３６】
ｂ．任意の第二流体分配層
第二流体分配層も、本発明により任意である。この第二分配層は、一般に第一分配層の下にあり、第一分配層と流体連通状態にある。この第二分配層の目的は、第一分配層から身体の流体を迅速に獲得し、それを下にある貯蔵層に移す前に物品の縦方向及び横方向に沿って分配することである。これにより、下にある貯蔵層の流体保持能力を助け、利用率を高める。
【００３７】
ｃ．流体貯蔵層
一般に第一又は第二分配層の下に配置し、これらの層と流体連通状態にあるのが流体貯蔵層である。この層は、好ましくは通常「ヒドロゲル」、「超吸収性」、「ヒドロコロイド」材料と呼ばれる超吸収性又はゲル材料を有する。吸収性ゲル材料は、水性流体、特に身体の流体と接触して、そのような流体を吸収しヒドロゲルを形成する材料である。これらの吸収性ゲル材料は、一般に大量の水性の身体の流体を吸収することができ、更にそのような吸収した流体を適度の圧力下で保持することができる。先行技術において、これらの吸収性ゲル材料は、一般に別個の非繊維粒子の粒の形状である。しかし、これらの超吸収性ゲル材料は非粒状で、一般に繊維の形状で提供されることもできる。
【００３８】
この流体貯蔵層では、これらの吸収性ゲル材料は、キャリアとも呼ばれる好適な繊維性マトリックスの中で均一又は不均一に分散し得る。好適なキャリアには、吸収性コアにおいて慣習的に利用されるように、綿毛の形状のセルロース繊維が挙げられる。剛化したセルロース繊維のような修飾セルロース繊維も使用することができる。合成繊維も使用することができ、酢酸セルロース、ポリフッ化ビニル、ポリ塩化ビニリデン、アクリル（オーロンなど）、ポリ酢酸ビニル、不溶性ポリビニルアルコール、ポリエチレン、ポリプロピレン、ポリアミド（ナイロンなど）、ポリエステル、二成分繊維、三成分繊維、これらの混合物などから製造したものが含まれる。好ましい合成繊維及び人造繊維は、１フィラメント当たり約３デニール〜約２５デニール、より好ましくは１フィラメント当たり約５デニール〜約１６デニールのデニールを有する。また好ましくは、繊維表面は親水性であるか、又は親水性であるように処理される。不透明貯蔵層は、再湿潤問題を低減するパーライト、珪藻土、バーミキュライトなどのような充填剤材料も含むことができる。更に、この貯蔵層は、硬化の前に貯蔵層の表面に水溶液として噴霧できるラテックス結合剤を含むが、これに限定されない結合剤を有してもよい。透明性又は所定の色が必要な場合、これらのキャリア材料がそれぞれ所望の透明性又は所望の色を提供するために選択されなければならない。
【００３９】
吸収性ゲル材料を繊維性マトリックスに不均一に分散する時、貯蔵層は局部的に均一であり得る、すなわち、貯蔵層の寸法内で一又は数方向において分配勾配を有する。従って、不均一な分配は、例えば、吸収性ゲル材料を囲む繊維キャリアの積層体を含む。
一般に、貯蔵層は５％〜９５％の吸収性ゲル材料、好ましくは５％〜５０％、最も好ましくは８％〜３５％の吸収性ゲル材料を有する。更に、貯蔵層は、５％〜９５％のキャリア繊維、好ましくは９５％〜５０％、最も好ましくは９２％〜６５％のキャリア繊維を有し得る。
【００４０】
本明細書における使用に好適な吸収性ゲル材料は、実質的に非水溶性で、僅かに架橋し、部分的に中和したポリマーゲル材料を最も頻繁に有する。この材料は水に接触してヒドロゲルを形成する。このようなポリマー材料は、重合可能な不飽和の酸含有モノマーから調製することができる。この発明に使用するポリマー吸収性ゲル材料を調製する際に使用するのに好適な不飽和酸性モノマーには、１９８７年３月３１日に発行され、１９８８年４月１９日にＲＥ３２，６４９として再発行された米国特許第４，６５４，０３９号（ブラント（Ｂｒａｎｄｔ）ら）に列記されたものが挙げられる。好ましいモノマーには、アクリル酸、メタクリル酸、及び２−アクリルアミド−２−メチルプロパンスルホン酸が挙げられる。アクリル酸自体は、所望する透明度が余り高くない場合、最適ではないが容認できる「自然の」透明性も持つので、透明なコアを所望する本明細書での実施形態で超吸収性材料の調製に特に好ましい。
【００４１】
ヒドロゲル形成性ポリマー吸収性ゲル材料のベースポリマー成分の性質がいかなるものであれ、そのような材料は一般に僅かに架橋している。架橋は、ヒドロゲル形成ポリマーゲル材料を実質的に非水溶性にするのに役立ち、従って、架橋は部分的にこれらのポリマーゲル材料から形成されるヒドロゲルのゲルボリューム及び抽出可能なポリマー特性を決定する。好適な架橋剤は、当該技術分野において周知であり、例えば、１９７８年２月２８日に発行された米国特許第４，０７６，６６３号（マスダ（Ｍａｓｕｄａ）ら）においてより詳細に記載されるものを含む。好ましい架橋剤は、ポリオールと不飽和モノ−又はポリカルボン酸のジ−又はポリエステル、ビスアクリルアミド及びジ−又はトリアリルアミンである。他の好ましい架橋剤は、Ｎ，Ｎ’−メチレンビスアクリルアミド、トリメチロールプロパントリアクリレート及びトリアリルアミンである。架橋剤は、一般に結果として生じるヒドロゲル形成ポリマー材料の約０．００１モル％〜５モル％を構成し得る。より好ましくは、架橋剤はヒドロゲル形成ポリマーゲル材料の約０．０１モル％〜３モル％を構成する。
【００４２】
僅かに架橋したヒドロゲル形成ポリマーゲル材料は、一般に部分的に中和した形状で使用される。本発明の目的のために、ポリマーを形成するために使用するモノマーの少なくとも２５モル％、好ましくは少なくとも５０モル％が、塩生成陽イオンで中和された酸性基含有モノマーである時、そのような材料は部分的に中和されたと考えられる。好適な塩生成陽イオンには、アルカリ金属、アンモニウム、置換アンモニウム及びアミンが含まれる。中和した酸性基含有モノマーである利用された総モノマーの割合を、本明細書では「中和度」という。
これらの吸収性ゲル材料は、一般に粒の形状で使用され得るが、一方これらの材料を、例えば、繊維、シート又はストリップのような巨大構造体のような非粒状で使用することも可能である。これらの巨大構造体は、粒子状吸収性ゲル材料を凝集体に形成し、その凝集した材料を好適な架橋剤で処理し、その処理した凝集体を締固めて密度を高めて合着物質を形成し、その後その締固めた凝集体を硬化し、架橋剤を粒子状吸収性ゲル材料と反応させて合成多孔質吸収性巨大構造体を形成することにより作成できる。このような多孔質吸収性巨大構造体は、例えば、１９９２年４月７日に発行された米国特許第５，１０２，５９７号（ロエ（Ｒｏｅ）ら）に開示されている。
【００４３】
着色した吸収性コアは、顔料着色、プリント及び染色を含む、着色材料のために当業者に既知のいずれかの方法により得ることができる。
吸収性コアが透明であることを望む場合、吸収性ゲル材料を１００％有する層により提供されることができる。従ってこのようなゲル材料は透明であることが必要で、透明な吸収性ゲル材料の一般的な例は、水で飽和されてない水ベースのヒドロゲル接着剤である。このようなヒドロゲル接着剤は体用接着剤として既知であるが、透明な吸収性コアとして、少量の水で飽和した形状で使用可能である。このような材料の例は、フラー社（Ｈ．Ｂ．Ｆｕｌｌｅｒ Ｃｏｍｐａｎｙ）（ドイツ Ｌｕｎｅｂｕｒｇ）から入手可能なハイドロメルト（Ｈｙｄｒｍｅｌｔ）ＮＰ−２２５７である。このような材料は、物品の構造接着剤としても機能し、コア、トップシート及びバックシートの間に構造接着剤を追加する必要がない点で特に有利である。あるいは、コアは透明な繊維性の超吸収性不織布から提供され得る。
本発明の特に好ましい実施形態によれば、吸収性コアは一層のみを、好ましくは一流体貯蔵層を具備する。
【００４４】
ｄ．任意の繊維層
本発明による吸収性コアに含むための任意の構成要素は、貯蔵層に近接し、一般に貯蔵層の下にある繊維層である。この下にある繊維層は、一般に第二流体分配層と同一の機能を提供する。
【００４５】
ｅ．その他の任意構成要素
吸収性コアは、吸収性ウェブに通常存在する他の任意の構成要素を含むことができる。例えば、補強スクリムは吸収性コアの各層内、又は各層の間に配置され得る。このような補強スクリムは、特に吸収性コアの各層の間に配置する場合、流体移動に対して界面バリアを形成しないような配置でなければならない。熱接着の結果として通常発生する構造的な一体性がある場合、補強スクリムは本明細書の吸収性構造体に通常必要ではない。
より一般的に、本明細書に使用される吸収性物品の吸収性コアは、黒、白を含む任意の色であってもよく、又はそのコアが含まれる吸収性物品次第で透明性の領域を備えてもよい。吸収性物品の透明な領域が吸収性コアと共に広がる領域の外側にある場合、吸収性コアは透明である必要はなく、いずれか既知の慣習的な方法で提供され得る。例えば、生理用ナプキンが透明なウイング又は透明な周辺領域を備える実施形態のような、吸収性コアと同一の広がりを持たない吸収性物品の部分のみが透明であることが望まれる吸収性物品についてこれは特に好ましい。
【００４６】
あるいは、吸収性コアと共に広がる物品の領域の全て又は部分が透明であることが望ましい場合、吸収性コア自体はもちろんこの透明性を支持する必要があり、ポリマー繊維のような材料又は慣習的に及びしばしば使用されるヒドロゲルのような超吸収性材料は、透明な形状で提供することにより、すなわち非白色色素についてトップシート及びバックシートのためにすでに前述した二酸化チタンのような白色充填剤なしに提供することにより、この透明性を支持する必要がある。透明に変えることのできない材料を吸収性コアに使用する場合、これらの材料を同様の特性を有する透明な材料に取り換えることが必要である。
故に他の実施形態では、本明細書におけるパッケージで使用するのに好適な透明な吸収性物品は、それらの表面全体にわたって完全に透明であるトップシート、バックシート及びコアを持つ。この実施形態の利点は、色付きの下着及び／又は半透明の衣服と組み合わせて着用する時、その製品を認識できないだけでなく、衣服の下のこの物品自体の輪郭も識別できないことが意外にも見出されたことである。この製品をぴったり適合する衣類と組み合わせて着用する時、これは特に有用である。
【００４７】
本明細書における吸収性物品の吸収性コアに含むことができ、好ましくは、第一又は第二流体分配層に近接して又はその一部として提供される他の構成要素は、におい制御剤である。一般に他のにおい制御剤、特に好適なゼオライト、シリカ又はクレイ材料に加えて、それらのにおい制御剤で被覆される活性炭が任意選択的に吸収性コアに組み込まれる。
活性炭は低価格で顕著なにおい制御特性を提供するので、黒いもののような暗い色の吸収性物品での使用に好ましいにおい制御剤である。
【００４８】
吸収性コアの物理的特性
吸収性コアは、通常、非延び可能及び非弾性であるが、延び可能性を持たせることができ、選択した材料次第で、弾性特性を持つようにも製造できる。用語「延び可能性」を今後使用する時は、使用中発生するような外力下で力の方向、又は単一方向の延び可能性のみが提供される場合、力の構成要素の方向に延びする構造体に関する。
用語「弾性」を今後使用する時は、延びを引き起こす力が働きを停止した後、少なくとも部分的に最初の状態に戻る延び可能性構造体に関する。構造体に弾性繊維を選択することで弾性を提供できる一方、ある延び可能性を提供するために、吸収性コアを一又は数方向に波形化したり、又はひだをつけたりすることができる。
吸収性コアは、薄いことが好ましい。厚さ５ｍｍ未満、好ましくは３ｍｍ未満、より好ましくは１．８ｍｍ未満、更に好ましくは０．１ｍｍと１．８ｍｍの間の厚さが望ましく、その結果生じた製品も、薄い厚みを持ち得る。
透明性の関連では、材料が厚ければ厚いほど透明性は低減するので、物品の透明な領域の厚さも非常に重要である。
【００４９】
吸収性物品の構成
本明細書で使用する吸収性物品は、当該技術分野において記載されるように構成される。吸収性物品が少なくとも一つの透明性領域を持つか又は透明である本明細書の実施形態では、材料の部分を接合するための従来の手段は、透明な領域を創製するという目的が失われないことを確実にするために注意深く考察される必要がある。例えば、吸収性コアの外側の領域でトップシートをバックシートに接合するために使用する接着剤は、透明であるか、除外されるかのいずれか、及び、例えば、クリンピングで置き換えられる必要がある。
透明な接着剤は広く入手可能であり、例えば、従来の接着剤は透明であり得、多くのポリマーベースの接着剤は、その不透明性のためこれまで使用されたことがなく、故にその組成物は初めから色充填剤を決して含まなかったので、透明である。
【００５０】
吸収性物品の意匠
上で示したような色及び透明性は、生理用ナプキン、パンティーライナ及び汗取りパッド（脇の下用又は襟用）の関連で有利に使用されることができる。生理用ナプキン又はパンティーライナの形状の副次形である新製品の意匠、つまりソング形生理用ナプキン又はパンティーライナ、いわゆるソングライナ又はストリングパンティーライナは、特に本発明の影響を受けやすい。このソングライナの意匠は、ソングスリップ、Ｇ−ストリング下着又はひもパンティにおいて着用されることができるような形状を有する生理用ナプキン又はパンティライナを供給するようなものであるために、ソングの形状は基本的に三角形又は台形である。
【００５１】
吸収性物品の任意構成要素
任意選択的に本明細書の吸収性物品は、意図される製品の使用に一般的な全ての構成要素を具備することができる。例えば、吸収性物品は、物品の特に後ろ末端部の方への位置決め及び汚れ防御性能を改善するために、ウイングのような構成要素を具備することができる。そのような意匠は、例えば、欧州特許ＥＰ１３０８４８又はＥＰ１３４０８６に示され、ウイングを持つソングライナはハーグ協定の下に出願され、１９９８年１０月２１日に登録された、国際出願された実用新案第ＤＭ０４５５４４号と同様に、米国意匠第３９４，５０３号、英国意匠第２，０７６，４９１号及び第２，０８７，０７１号に示されている。
吸収性物品が少なくとも一つの透明性の領域を具備する場合、存在するならば、ウイングはその透明な領域を具備する吸収性物品の領域であることができる。事実ウイングが透明である物品の意匠は非常に望ましく、特にソングライナについて、透明なウイングを有することは望ましい。その理由は、ソングライナのウイングは、実質的に物品の後ろ末端部まで延び、ソングスリップの外側に折り畳まれる時、むしろ容易に目に見えるためである。
【００５２】
ソングライナ若しくは従来の吸収性物品のために特別に設計されているかどうかに関係なく、ウイングは別個の部分として提供され、ソングライナに取り付け可能であるか、又は、例えば、トップシート、バックシート若しくはそれらの組み合わせを一体化して延ばすことにより、ソングライナの材料と一体化できる。
ウイングを取り付ける場合、基本的な外部を向く位置に取り付け可能であるか、又は使用中の位置に向かって、例えば、長手方向中心線に向かって予め配置可能である。ウイングがトップシート、バックシート、又はその両方を一体化して延ばしたものである場合、ウイングにはこれらの材料と同一の透明性が備えられる。
吸収性物品が所定の色を持つ場合、存在するならば、ウイングは下着の色に調和するよう着色される。
【００５３】
本発明の最も広い態様では、本発明はパンティーライナ又は生理用ナプキンのようなウイングを持つ吸収性物品にも向けられ、そこにおいてウイングは所定の下着の色と調和する色を有し、そのウイングの色は吸収性物品の残部から視覚上区別可能なもの又は同じ色である。これは、ウイングがトップシート及び／又はバックシートを一体化して延ばす手法で、並びにウイングが別個の部分として提供される手法で提供され得る。任意の従来の材料は、所望される着色がされているならば、この目的のために使用されてもよい。故に本発明は吸収性物品も含み、該物品は下着の股部領域で使用するための生理用ナプキン又はパンティーライナであり、該物品は下着の股部領域辺りで折り畳むことを意図される一対のウイングを具備し、該ウイングのそれぞれは吸収性物品の残部から視覚上区別可能な色を備え、該ウイングの色は所望される下着の色に調和する。
例えば、黒いウイングを持つ衛生的な白い吸収性物品（パンティーライナ又は生理用ナプキン）である。
【００５４】
より好ましい吸収性物品は、取り付けのための固着接着剤を具備する。固着接着剤の意匠は、所望の透明性を妨げないように選択されなければならないが、透明接着剤はその透明性を確保する。生理用ナプキン、パンティーライナ又はソングライナの場合、いわゆるパンティー固着接着剤が下着への取り付けのためにバックシート上に存在するのが好ましい。しかし、汗取りパッド、例えば、脇の下用汗取りパッドについては、近接する衣類に取り付けるか、又は着用者の皮膚に直接取り付けるかのいずれも考察されることができる。もちろん、このような皮膚への直接の取り付けは、慣習的に水性ゲル、ヒドロゲル又は油性ゲルベースの体用接着剤により提供されるが、生理用ナプキン又はボディライナ（パンティライナと対比して）においても使用されることができる。
【００５５】
透明性の評価
一般的定義
光学上透明：光の放射の通過を可能にすること。
任意選択的に透明な媒体：肉眼でその媒体を明瞭に見通せるような方法で光の光線を透過させる特性を有する媒体。
一般に透明性とは、それ自体を通して光を透過させる物質の能力であり、従って透明性により、そのような物質を通して物体／色／印刷した又は書いた文を見ることが可能である。
【００５６】
透明な製品
上記の術語に従い、製品の透明な領域は以下により定義される。
１．書かれた又は印刷された文／文字及び透明な製品の反対側に位置する色が肉眼で明確に見られることができるような方法で光の光線を透過させる特性を持つこと。
及び／又は
２．製品を肉眼で見通してもよいような方法で光の光線を透過させる特性を持つこと。
透明な製品により実現される主な利点のひとつは、肉眼ではその製品の存在（色）を、ほとんど認識不可能であるので、主に下着（又は他の衣服）の色を認識できる（視覚的に不連続、製品の不認知）。
色は、肉眼で感知するすべての色を数値コードに変換する国際的に認められた色の３Ｄ立体ダイヤグラムに従って測定できる。この方式は３次元（ｘ、ｙ、ｚ）及び特にＬ＊、ａ＊、ｂ＊に基づく。
色がこの方式に従って定義されるとき、Ｌ＊は、明るさ（０＝黒、１００＝白）を表わし、ａ＊及びｂ＊は独立してそれぞれ二つの色軸、ａ＊は赤／緑軸（＋ａ＝赤、−ａ＝緑）、ｂ＊は黄／青軸（＋ｂ＝黄色、−ｂ＝青）を表わす。
いずれの色も次の方程式により数学的に表される単一のΔＥ値により維持される。
【００５７】
ΔＥ＝［（Ｌ）２＋（ａ）２＋（ｂ）２）］１／２
ΔＥは三次元モデルの基準色と色のない点（すなわち、球Ｌの中心＝５０、ａ＝０、ｂ＝０）の間の距離を線図で表す。
材料（製品）を通して色を見る能力を透明度の指標として測定する。ある物質が１００％透明である場合、上記の色のみについてΔＥ値とその物質を通過するΔＥ値は同一の△Ｅ値を測定することが可能である。基準として白色を使用する。その色が白い基準に近づく程（両方をその物質／製品を通して見るとき）、その物質（又は製品）はより透明でなくなると考えられる。
【００５８】
色の透明度の方法論
座標Ｌ＊、ａ＊、ｂ＊を提供し、ΔＥ値を決定できる比色計、ミノルタＣＲ−３００モード計器（日本ミノルタ社から入手可能）を用いて、色を測定できる。
この測定に使用する標準色は、パントーン（ＰＡＮＴＯＮＥ）色表示器７４７ＸＲの基準原色、シアン、マゼンダ、及びイエローであり、並びに比色計の白色較正基準プレートである。
シアン、マゼンダ及びイエローの色基準のそれぞれについて試験すべき材料の色等級座標値は、その材料を色特定基準の上に置き、比色計から読み取り、ΔＥを計算することにより決定する。
【００５９】
基準色（ｒｃ：ｒｅｆｅｒｅｎｃｅ ｃｏｌｏｒｓ）それぞれについて、ΔΔＥｒｃと呼ばれる△Ｅｒｃの結果が０（すなわち１００％透明）であり、基準色に関するΔＥホワイトは、ΔΔＥｗと呼ばれ、例えば、６２．２であり、０％の透明度を表わすような尺度を設定することによりΔＥ値は、再計算される。
これは次の式により表わすことができる。
ΔΔＥｒｃ＝［（Ｌｒｃ−Ｌｒｃ）２＋（ａｒｃ−ａｒｃ）２＋（ｂｒｃ−ｂｒｃ）２］１／２＝０
ΔΔＥｗ＝［（Ｌｒｃ−Ｌｗ）２＋（ａｒｃ−ａｗ）２＋（ｂｒｃ−ｂＷ）２］１／２
その後、各基準色（ΔΔＥｐ）について、製品／製品の透明な領域のΔΔＥ値を次の式を用いて計算する。
【００６０】
ΔΔＥｐ／ｒｃ＝［（Ｌｒｃ−Ｌｐ）２＋（ａｒｃ−ａｐ）２＋（ｂｒｃ−ｂｐ）２］１／２
各基準色についての製品の透明度は次の式により決定される。
透明度＝（１００−ΔΔＥｒｃ×１００）／ΔΔＥｐ
全透明度は各基準色についての透明度の平均値である、すなわち
全透明度＝（１００透明度シアン＋透明度マゼンダ＋透明度イエロー）／３
【００６１】
（実施例）
本発明によるパッケージ（図１）に包装されるパンティーライナの実施例は次のとおりである。
選択１
パンティーライナは、透明な孔あきポリエチレン成形フィルムトップシート（透明なＣＰＭ　ＤＨ（登録商標）、ＢＰケミカルズ社（ＢＰ Ｃｈｅｍｉｃａｌｓ）から入手可能）、接着剤の螺旋層（ＰＭ１７（登録商標）、サバレ社（Ｓａｖａｒｅ）から入手可能）、接着性ヒドロゲル吸収性コア（ＡＧＭグルーコードＮＰ−２２５７、坪量１８０ｇｓｍ、フラー社（Ｆｕｌｌｅｒ）から入手可能）、色素のない不織布バックシート（コードＷ１６Ｆｉｏ、坪量１６ｇｓｍ、ＢＢＡコロビン社（ＢＢＡ Ｃｏｒｏｖｉｎ）から入手可能）、パンティー固着接着剤のストリップ（ＨＬ１４６１（登録商標）、フラー社（Ｆｕｌｌｅｒ）から入手可能）及びリリースペーパーを具備している。
【００６２】
選択２
パンティーライナは、透明な孔あきポリエチレン成形フィルムトップシート（透明なＣＰＭ　ＤＨ（登録商標）、ＢＰケミカルズ社（ＢＰ Ｃｈｅｍｉｃａｌｓ）（ドイツＷａｓｓｅｒｂｕｒｇ）から入手可能）、接着剤の螺旋層（ＰＭ１７（登録商標）、サバレ社（Ｓａｖａｒｅ）から入手可能）、不織布が熱接着されているポリプロピレンコア（ポリプロピレン及び超吸収性繊維、コードＮＰＳ８０、坪量８０ｇｓｍ、ＢＦＦ社（英国）から入手可能）、接着剤の螺旋層（ＰＭ１７（登録商標）、サバレ社（Ｓａｖａｒｅ）から入手可能）、色素のない不織布バックシート（コードＷ１６Ｆｉｏ、坪量１６ｇｓｍ、ＢＢＡコロビン社（ＢＢＡ Ｃｏｒｏｖｉｎ）（ドイツＰｅｉｎｅ）から入手可能）、パンティー固着接着剤のストリップ（ＨＬ１４６１、フラー社（Ｆｕｌｌｅｒ）（ドイツＬｕｎｅｂｕｒｇ）から入手可能）及びリリースペーパーを具備している。
【００６３】
選択３
パンティーライナは、トップシートとして、黒い孔あきポリエチレン成形フィルム（黒いＣＰＭ（登録商標）二つ孔、ＢＰケミカルズ社（ドイツＷａｓｓｅｒｂｕｒｇ）から入手可能）と共に黒い不織布がスパンボンドされているポリエチレンＳＢＰＥ、坪量２７ｇｓｍ（コードＴ２７ＣＸＣ（登録商標）、ＢＢＡリノテック社（ＢＢＡ，Ｌｉｎｏｔｅｃ）から入手可能）、第二トップシートとして、黒い不織布ＳＢＰＥ（コードＴ２７ＣＸＣ（登録商標）、ＢＢＡリノテック社（ＢＢＡ，Ｌｉｎｏｔｅｃ）から入手可能）、接着剤の螺旋層（アトフィンドレ−社（Ａｔｏ Ｆｉｎｄｌｅｙ）からのＨ２１２８（登録商標））、１０％の超吸収性繊維を有する白い吸収性コア（コードＧＨ．１００．１００４、坪量１００ｇｓｍ、コンサート社（Ｃｏｎｃｅｒｔ ＧｍｂＨ）（ドイツＦａｌｋｅｎｈａｇｅｎ）から商業的に入手可能）、接着剤の螺旋層（ＰＭ１７（登録商標）、サバレ社（Ｓａｖａｒｅ）から入手可能）、バックシートとして黒い色素を持つポリエチレンマイクロエンボスフィルム（コードＳＴ７００（登録商標）、ブリトンタコ社（Ｂｒｉｔｔｏｎ Ｔａｃｏ ＬｔＤ．）（英国Ｗｉｎｓｆｏｒｄ Ｃｈｅｓｉｒｅ）から入手可能）、パンティー固着接着剤のストリップ（ＨＬ１４６１（登録商標）、フラー社（Ｆｕｌｌｅｒ）（ドイツ Ｌｕｎｅｂｕｒｇ）から入手可能）及びリリースペーパーを具備している。
【００６４】
選択４
パンティーライナは、トップシートとして、白い孔あきポリエチレン成形フィルム（白いＣＰＭ（登録商標）二つ孔、ＢＰケミカルズ社（ＢＰ Ｃｈｅｍｉｃａｌｓ）（ドイツＷａｓｓｅｒｂｕｒｇ）から入手可能なコード４５０１５）と共に、不織布がスパンボンドされているポリエチレンＳＢＰＥ、坪量２７ｇｓｍ（コードＴ２７ＡＸＣ（登録商標）、ＢＢＡリノテック社（ＢＢＡ Ｌｉｎｏｔｅｃ）（ドイツ）から入手可能）、第二トップシートの白い不織布ＳＢＰＥ（コードＴ２７ＡＸＣ（登録商標）、ＢＢＡリノテック社（ＢＢＡ Ｌｉｎｏｔｅｃ）から入手可能）、接着剤の螺旋層（アトフィンドレ−社（Ａｔｏ Ｆｉｎｄｌｅｙ）からのＨ２１２８（登録商標））、エアレイド吸収性積層体（コーマ社（Ｋｏｒｍａ）から入手可能なコードＸＯ０３８０１００２）、接着剤（ＰＭ１７（登録商標）、サバレ社（Ｓａｖａｒｅ）から商業的に入手可能）、第二バックシートとして、白い孔あきポリエチレン成形フィルム（コードＳ２２５ＭＤ２５、トレデガ−社（Ｔｒｅｄｅｇａｒ，ＮＬ）から商業的に入手可能）及び白い微小多孔性フィルムバックシート（コードＸＢＦ１１２Ｗ、エクソン社（Ｅｘｘｏｎ，ＣＨ）から商業的に入手可能）、パンティー固着接着剤のストリップ（ＮＳ８３４−２８２３、ナショナルスターチ社（Ｎａｔｉｏｎａｌ Ｓｔａｒｃｈ）から入手可能）及びリリースペーペーパーを具備している。
【００６５】
本発明により、本明細書において前記の選択１による１５個のパンティーライナ及び本明細書において前記の選択３による１５個のパンティーライナを包含するパッケージが提供される。選択１の１０個のパンティーライナ、選択３の１０個のパンティーライナ及び選択４の１０個のパンティーライナを具備する別のパッケージが提供される。選択３の１０個のパンティーライナ及び選択４の２０個のパンティーライナを具備する別のパッケージが提供される。
【図面の簡単な説明】
本発明は添付図面に関して更に説明される。
【図１】本発明によるパッケージの一般的な透視図である。
【図１】
2004510463.tif 000003
【国際公開パンフレット】
2004510463.tif 000004
2004510463.tif 000005
2004510463.tif 000006
2004510463.tif 000007
2004510463.tif 000008
2004510463.tif 000009
2004510463.tif 000010
2004510463.tif 000011
2004510463.tif 000012
2004510463.tif 000013
2004510463.tif 000014
2004510463.tif 000015
2004510463.tif 000016
2004510463.tif 000017
2004510463.tif 000018
2004510463.tif 000019
2004510463.tif 000020
2004510463.tif 000021
2004510463.tif 000022
2004510463.tif 000023
2004510463.tif 000024
2004510463.tif 000025
2004510463.tif 000026
2004510463.tif 000027
2004510463.tif 000028
2004510463.tif 000029
2004510463.tif 000030
2004510463.tif 000031
2004510463.tif 000032
2004510463.tif 000033
2004510463.tif 000034
2004510463.tif 000035
2004510463.tif 000036
2004510463.tif 000037
2004510463.tif 000038
2004510463.tif 000039
2004510463.tif 000040
2004510463.tif 000041
2004510463.tif 000042
2004510463.tif 000043
2004510463.tif 000044
【国際調査報告】
2004510463.tif 000045
2004510463.tif 000046